(57)【特許請求の範囲】
【請求項１】
かご枠内に上下２層に配置された上かご室と下かご室が階高に合わせて昇降移動可能な階高調整機構を有する階高調整式ダブルデッキエレベータにあって、制御手段と前記各かご室との間で電力供給及び信号送受を行うケーブルを備えた階高調整式ダブルデッキエレベータの移動ケーブル装置において、
前記ケーブルを、前記かご枠の上横枠と前記上かご室上部との間、及び前記かご枠の中間横枠と前記下かご室上部との間にそれぞれ引込むとともに、前記上横枠及び中間横枠に固定され、下方に向かって伸長するかご枠側支持板と、前記上かご室上部及び下かご室上部に固定され、上方に向かって伸長し、かつ前記かご枠側支持板と所定の間隙を介して対向可能に配置されるかご側支持板とからなるケーブル案内手段を設け、かつ、前記ケーブルを、前記両支持板の互いに対向するそれぞれの面に沿って敷設することを特徴とした階高調整式ダブルデッキエレベータの移動ケーブル装置。
【請求項２】
前記かご枠側支持板は、前記かご枠の横枠と前記かご室上部とが最も離隔した状態で、前記両支持板間に位置する前記ケーブルの屈曲部が掛かる長さ寸法を有することを特徴とした請求項１記載の階高調整式ダブルデッキエレベータの移動ケーブル装置。
【請求項３】
前記かご側支持板は、前記階高調整機構による階高調整長さ寸法の１/２に、前記両支持板間に位置する前記ケーブルの屈曲部の曲率半径を加算した長さ寸法以上を有することを特徴とした請求項１記載の階高調整式ダブルデッキエレベータの移動ケーブル装置。
【請求項４】
前記かご枠側支持板に、前記ケーブルを固定する留め金具を設けるとともに、この留め金具は前記かご枠の横枠と前記かご室上部とが最も近接した状態で前記両支持板間に位置する前記ケーブルの屈曲部が掛からない位置に配置されることを特徴とした請求項１記載の階高調整式ダブルデッキエレベータの移動ケーブル装置。
【請求項５】
前記かご側支持板に、前記ケーブルの固定する留め金具を設けるとともに、この留め金具は前記かご枠の横枠と前記かご室上部とが最も離隔した状態で前記両支持板間に位置する前記ケーブルの屈曲部が掛からない位置に配置されることを特徴とした請求項１記載の階高調整式ダブルデッキエレベータの移動ケーブル装置。
【請求項６】
前記かご枠側支持板の下端部に、前記ケーブルの移動を案内する傾斜部を設けたことを特徴とした請求項１記載の階高調整式ダブルデッキエレベータの移動ケーブル装置。
【請求項７】
前記所定の間隙は、前記ケーブルの許容曲率半径の２倍以上に設定されることを特徴とした請求項１記載の階高調整式ダブルデッキエレベータの移動ケーブル装置。
【発明の詳細な説明】
【技術分野】
【０００１】
本発明は、かご枠内に上下２層に配置された上かご室と下かご室が階高に合わせ昇降移動可能な階高調整式ダブルデッキエレベータに係り、特に、エレベータ制御手段と各かご室との間で電力供給及び信号送受を行うための階高調整式ダブルデッキエレベータの移動ケーブル装置に関する。
【背景技術】
【０００２】
高層ビルに設置するエレベータには昇降路の省スペース化と輸送能力向上を図るため、かご室を上下２層としたダブルデッキエレベータが実用化されている。このようなダブルデッキエレベータにあっては、各かご室が固定され、所定寸法を隔てて配置されているため、建屋の階高を一定としなければならないという制約があったが、近年、この制約を解決するため、上下２層のかご室間の間隙寸法を階高に合わせて調整できる機能を有した階高調整式ダブルデッキエレベータが実用化されている。
【０００３】
このように階高に合わせて移動するかご室への電力供給及び信号送受方法として、従来、上部かご室と下部かご室間に、ケーブルを保護するためのケーブル保護装置を用いたものが開示されている。即ち、ケーブル保護装置は、上かご室と下かご室とを連結する可撓性部材と、下かご室の上部に立設されるガイド用支柱とからなるとともに、可撓性部材は公知のケーブルベアからなり、箱形の単体を複数用い連続結合されたチェーン状の構造としてある。そして、可撓性部材内に、平型ケーブルや丸型ケーブルを収納し、これらのケーブルにより上かご室から下かご室へ電力や制御信号等を送る構成となっている（例えば、特許文献１参照）。
【特許文献１】特開２００１−２７８５６９号公報（段落番号００３９〜００４１、図１２）
【発明の開示】
【発明が解決しようとする課題】
【０００４】
しかしながら、前述した従来のものでは、上下かご室間のケーブルを保護するため、複数の箱形を連続結合したチェーン状の可撓性部材を設ける必要があり、複雑かつ高価なものとなるという問題があった。また、従来のものは、上かご室と下かご室間に設置されるケーブル保護について言及されたもので、制御手段から上かご室、同制御手段から下かご室間への電力供給及び信号送受を行うケーブルの設置について特に触れられていない。
【０００５】
本発明は、前述した従来技術における実状からなされたもので、その目的は、簡易な構造で、制御手段と各かご室との間で電力供給及び信号授受を行うケーブルの円滑な移動を実現することのできる階高調整式ダブルデッキエレベータの移動ケーブル装置を提供することにある。
【課題を解決するための手段】
【０００６】
前記目的を達成するために、本発明は、かご枠内に上下２層に配置された上かご室と下かご室が階高に合わせて昇降移動可能な階高調整機構を有する階高調整式ダブルデッキエレベータにあって、制御手段と前記各かご室との間で電力供給及び信号送受を行うケーブルを備えた階高調整式ダブルデッキエレベータの移動ケーブル装置において、前記ケーブルを、前記かご枠の上横枠と前記上かご室上部との間、及び前記かご枠の中間横枠と前記下かご室上部との間にそれぞれ引込むとともに、前記上横枠及び中間横枠に固定され、下方に向かって伸長するかご枠側支持板と、前記上かご室上部及び下かご室上部に固定され、上方に向かって伸長し、かつ前記かご枠側支持板と所定の間隙を介して対向可能に配置されるかご側支持板とからなるケーブル案内手段を設け、かつ、前記ケーブルを、前記両支持板の互いに対向するそれぞれの面に沿って敷設することを特徴としている。
【０００７】
このように構成した本発明では、かご枠の横枠とかご室上部との間に引込まれた電力供給及び信号送受を行うケーブルを、かご枠の上横枠と上かご室上部との間、及びかご枠の中間横枠と下かご室上部との間にあってかご枠側支持板及びかご側支持板の互いに対向するそれぞれの面に沿って敷設し、階高調整機構によりかご室が昇降移動する際、かご枠側支持板及びかご側支持板によりケーブルの移動を案内する。これによって、簡易な構造でケーブルを所定の軌道で移動させ、ケーブルの他機器への接触、絡まり等の事態を防ぐことができる。
【００１０】
さらに、本発明は、前記かご枠側支持板は、前記かご枠の横枠と前記かご室上部とが最も離隔した状態で、前記両支持板間に位置する前記ケーブルの屈曲部が掛かる長さ寸法を有することを特徴としている。
【００１１】
このように構成した本発明では、かご枠側支持板の長さ寸法を、かご枠の横枠とかご室上部とが最も離隔した状態でケーブルの屈曲部が掛かる値に設定することで、移動するケーブルを確実に案内することができる。
【００１２】
さらにまた、本発明は、前記かご側支持板は、前記階高調整機構による階高調整長さ寸法の１/２に、前記両支持板間に位置する前記ケーブルの屈曲部の曲率半径を加算した長さ寸法以上を有することを特徴としている。
【００１３】
このように構成した本発明では、かご側支持板の長さ寸法を、階高調整機構による階高調整長さ寸法の１/２に、屈曲部の曲率半径を加算した値以上に設定することで、移動するケーブルを確実に案内することができる。
【００１４】
また、本発明は、前記かご枠側支持板に、前記ケーブルを固定する留め金具を設けるとともに、この留め金具は前記かご枠の横枠と前記かご室上部とが最も近接した状態で前記両支持板間に位置する前記ケーブルの屈曲部が掛からない位置に配置されることを特徴としている。
【００１５】
このように構成した本発明では、ケーブルは、かご枠の横枠とかご室上部とが最も近接した状態で両支持板間に位置するケーブルの屈曲部が掛からない位置で、かご枠側支持板に留め金具により固定される。これにより、ケーブルの円滑な移動を実現しつつ、ケーブルの無駄な動きを規制して他機器への接触、絡まり等の事態を防ぐことができる。
【００１６】
さらに、本発明は、前記かご側支持板に、前記ケーブルの固定する留め金具を設けるとともに、この留め金具は前記かご枠の横枠と前記かご室上部とが最も離隔した状態で前記両支持板間に位置する前記ケーブルの屈曲部が掛からない位置に配置されることを特徴としている。
【００１７】
このように構成した本発明では、ケーブルは、かご枠の横枠とかご室上部とが最も離隔した状態で両支持板間に位置するケーブルの屈曲部が掛からない位置で、かご側支持板に留め金具により固定される。これにより、ケーブルの円滑な移動を実現しつつ、ケーブルの無駄な動きを規制して他機器への接触、絡まり等の事態を防ぐことができる。
【００１８】
さらにまた、本発明は、前記かご枠側支持板の下端部に、前記ケーブルの移動を案内する傾斜部を設けたことを特徴としている。
【００１９】
このように構成した本発明では、かご枠側支持板の下端部に傾斜部を設けたことにより、かご枠の横枠とかご室上部とが最も離隔した状態からかご枠の横枠とかご室上部とが近づく方向に移動する際、ケーブルをかご枠側支持板に円滑に沿わせることができる。
【００２０】
また、本発明は、前記所定の間隙は、前記ケーブルの許容曲率半径の２倍以上に設定されることを特徴としている。
【００２１】
このように構成した本発明では、ケーブル屈曲寿命を考慮した曲率半径として耐久性を保持することができる。
【発明の効果】
【００２２】
本発明によれば、上かご室及び下かご室が階高に合わせ昇降移動可能な階高調整式ダブルデッキエレベータにあって、簡易な構造で制御手段と各かご室との間で電力供給及び信号送受を行うケーブルの円滑な移動を実現し、これによって、安全性及び信頼性を低下させることなく装置のコスト低減を図ることができる。
【発明を実施するための最良の形態】
【００２３】
以下、本発明の階高調整式ダブルデッキエレベータの移動ケーブル装置に係る実施の形態を図に基づいて説明する。
【００２４】
図１は本発明の階高調整式ダブルデッキエレベータの移動ケーブル装置の一実施形態を示す全体概略図、図２は階高調整機構によりかご枠とかご室上部とを最も離隔させた状態を示す全体概略図、図３はケーブル案内手段の詳細を示す図で、（ａ）は階高調整機構によりかご枠とかご室上部とを最も離隔させたときのケーブル案内手段の状態を示す要部拡大図、（ｂ）は階高調整機構によりかご枠とかご室上部とを最も近接させたときのケーブル案内手段の状態を示す要部拡大図、図４はケーブルの固定状態を示す要部断面図である。
【００２５】
階高調整式ダブルデッキエレベータは図１、図２に示すように、昇降路を昇降するかご枠１に、上かご室２と下かご室３が上下２段に配置されているとともに、その上部にワイヤロープ４の一端が取付けられている。ワイヤロープ４は、その中間部が図示しない巻上機に巻き掛けられ、かつその他端が図示しないカウンタウエートに取付けられており、巻上機を駆動することにより、かご枠１とともに上かご室２及び下かご室３、カウンターウエートがそれぞれ昇降路の上下方向に移動する。なお、かご枠１は、上横枠１ａ、中間横枠１ｂ、下横枠１ｃ及び縦枠１ｄを有する構造となっている。
【００２６】
かご枠１には上かご室２を上下方向に案内するレール５ａ、及び下かご室３を上下方向に案内するレール５ｂが取付けられているとともに、上かご室２下部と下かご室３上部との間には、かご枠１の中間枠１ｂを支点としたリンク機構からなる階高調節機構６が設けられている。この階高調節機構６のリンクを図示しない駆動部により伸縮させることで、上かご室２と下かご室３をレール５ａ、５ｂに沿って移動させ、２つの階床間の階高寸法に合った位置とし、上かご室２と下かご室３の乗客をそれぞれ同時に目的とする階に案内することができる。即ち、図１に示すように、階高調節機構６のリンクを最も圧縮し、上枠１ａと上かご室２上部、及び、中間横枠１ｂと下かご室３上部とを最も近接させることで、階高寸法を小さく設定した２つの階床に対応するとともに、図２に示すように、階高調節機構６のリンクを最も伸長し、上枠１ａと上かご室２上部、及び、中間横枠１ｂと下かご室３上部とを最も離隔させることで、階高寸法を大きく設定した２つの階床に対応するようになっている。
【００２７】
次に、昇降路の最上部に設けられた機械室に設置される図示しない制御手段と各かご２、３室との間で電力供給及び信号送受を行う本実施形態の移動ケーブル装置について説明を行う。
【００２８】
階高調整式ダブルデッキエレベータにあっては、階高調節機構６の駆動部への電力供給、制御信号の送信、上かご室２と下かご室３の照明やドアを駆動するための電力供給、及び行き先階の登録信号の送信等は、一般にテールコード呼ばれる可撓性を有する平型のケーブル７を介して制御手段から送られる。
【００２９】
ケーブル７は、昇降路に吊り下げられ、その一端がケーブル７に内蔵の補強ワイヤ８を用いてかご枠１の下横枠１ｃにケーブル固定金具９で固定されるとともに、下横枠１ｃに設けられた中継用ボック１０に引込まれ、かつ、中継ボックス１０にて、上かご室２へ送られる上かご室用ケーブル７ａと、下かご室３へ送られる下かご室用ケーブル７ｂに振り分けられる。また、上かご室２と下かご室３との間には、後述する丸型の連絡用ケーブル１１が設置される。
【００３０】
上かご室用ケーブル７ａ及び連絡用ケーブル１１は、かご枠１の上横枠１ａと上かご室２上部との間に引込まれ、後述するケーブル案内手段１２を介して、上かご室２の各器具に電力の分配及び信号の配信を行うための器具ボックス１３ａに接続される。
【００３１】
下かご室用ケーブル７ｂ及び連絡用ケーブル１１は、かご枠１の中間横枠１ｂと下かご室３上部との間に引込まれ、後述するケーブル案内手段１２を介して、下かご室３の各器具に電力の分配及び信号の配信を行うための器具ボックス１３ｂに接続される。
【００３２】
そして、本実施形態の移動ケーブル装置は、上横枠１ａに固定され、下方に向かって伸長するかご枠側支持板１２１ａと、上かご室２上部に固定され、上方に向かって伸長し、かつかご枠側支持板１２１ａと所定の間隙を介して対向可能に配置されるかご側支持板１２２ａと、中間横枠１ｂに固定され、下方に向かって伸長するかご枠側支持板１２１ｂと、下かご室３上部に固定され、上方に向かって伸長し、かつかご枠側支持板１２１ｂと所定の間隙を介して対向可能に配置されるかご側支持板１２２ｂとを有するケーブル案内手段１２を備えており、ケーブル７ａ、１１を両支持板間１２１ａ、１２２ａの互いに対向するそれぞれの面に沿って敷設するとともに、ケーブル７ｂ、１１を両支持板間１２１ｂ、１２２ｂの互いに対向するそれぞれの面に沿って敷設するようになっている。
【００３３】
ここで、上横枠１ａと上かご室２上部との間に設置されたケーブル案内手段１２を例として、図３、図４に基づきその詳細を説明する。なお、図３の（ａ）は階高調整機構６によりかご枠１と上かご室２上部とを最も離隔させたときのケーブル案内手段１２の状態を示すものであり、図３の（ｂ）は階高調整機構６によりかご枠１と上かご室２上部とを最も近接させたときのケーブル案内手段１２の状態を示すものである。
【００３４】
上横枠１ａと上かご室２上部との間に設置されたケーブル案内手段１２は、上横枠１ａに固定されたかご枠側支持板１２１ａ、及び、上かご室２上部に固定されたかご側支持板１２２ａからなっており、これらのかご枠側支持板１２１ａ、かご側支持板１２２ａは所定の間隙、即ち、ケーブル７ａ、１１の許容曲率半径Ｒの２倍以上の間隙を介して互いに対向可能な位置に配置されている。そして、かご枠１の上横枠１ａと上かご室２上部との間に引込まれたケーブル７ａ、１１を、上横枠１ａの下面に沿って敷設し、次いで、かご枠側支持板１２１ａのかご側支持板１２２ａと対向する面に沿って下方に向かって敷設する。この後、屈曲部を設けてケーブル７ａ、１１を反転させ、かご側支持板１２２ａのかご枠側支持板１２１ａと対向する面に沿って上方に向かって敷設し、次いで、かご側支持板１２２ａの頂点で反転させた後、器具ボックス１３ａに接続する。
【００３５】
かご枠側支持板１２１ａには、ケーブル７ａ、１１を固定する留め金具１２３ａ、１２３ｂが設けられているとともに、これらの留め金具１２３ａ、１２３ｂは、図３の（ｂ）に示すように上横枠１ａと上かご室２上部とが最も近接した状態で両支持板１２１ａ、１２２ａ間に位置するケーブル７ａ、１１の屈曲部が掛からない位置に配置されている。また、かご枠側支持板１２１ａの下端部に、ケーブル７ａ、１１の移動を案内する傾斜部１２４が設けられている。
【００３６】
かご側支持板１２２ａには、ケーブル７ａ、１１を固定する留め金具１２３ｃ、１２３ｄが設けられているとともに、留め金具１２３ｃは、図３の（ａ）に示すように上横枠１ａと上かご室２上部とが最も離隔した状態で両支持板１２１ａ、１２２ａ間に位置するケーブル７ａ、１１の屈曲部が掛からない位置に配置されている。
【００３７】
かご枠側支持板１２１ａの長さ寸法Ｌ１は、かご枠１の上横枠１ａと上かご室２上部とが最も離隔した状態で、両支持板１２１ａ、１２２ａ間に位置するケーブル７ａ、１１の屈曲部が掛かる長さを有している。
【００３８】
かご側支持板１２２ａの長さ寸法Ｌ２は、階高調整機構６による階高調整長さ寸法の１/２に、両支持板１２１ａ、１２２ａ間に位置するケーブル７ａ、１１の屈曲部の曲率半径を加算した長さ寸法以上を有している。即ち、階高調整機構６による階高調整長さをＬＳＴ（図１、図２に示すかご室間の間隔ＬＳ、ＬＷに対してＬＷ−ＬＳに相当する長さ）とした時、数式（１）に示すように階高調節長さＬＳＴの1／２にケーブルの曲率半径Ｒを加算した長さ以上とする。
【００３９】
Ｌ２＞ＬＳＴ/２＋Ｒ・・・・・・・・・・・・・・・・・・数式（１）
また、平型の上かご室用ケーブル７ａ、及び丸型の連絡用ケーブル１１の固定方法であるが、図４に示すように、例えば、平型の上かご室用ケーブル７ａが留め金具１２３ａによりかご枠側支持板１２１に固定されるとともに、それに並列するように丸型の連絡用ケーブル１１が留め金具１２３ｅによりかご枠側支持板１２１ａに固定される。
【００４０】
本実施形態によれば、上かご室２及び下かご室２が階高に合わせ昇降移動可能な階高調整式ダブルデッキエレベータにあって、簡易な構造で制御手段と各かご室２、３との間で電力供給及び信号送受を行うケーブル７、１１の円滑な移動を実現し、これによって、安全性及び信頼性を低下させることなく装置のコスト低減を図ることができる。また、前述したように上横枠１ａと上かご室２上部とが最も近接した状態でケーブル７ａ、１１の屈曲部が掛からない位置に留め金具１２３ａ、１２３ｂを配置するとともに、上横枠１ａと上かご室２上部とが最も離隔した状態でケーブル７ａ、１１の屈曲部が掛からない位置に留め金具１２３ｃを配置することで、ケーブル７ａ、１１はかご室移動範囲において留め金具１２３ａ〜１２３ｃによる屈曲を受けることがないとともに、ケーブル７ａ、１１を支持板１２１ａ、１２２ａに沿って鉛直に支持し、円滑な移動を実現することができる。さらに、かご枠側支持板１２１ａの長さ寸法Ｌ１を、かご枠１の上横枠１ａと上かご室２上部とが最も離隔した状態で、両支持板１２１ａ、１２２ａ間に位置するケーブル７ａ、１１の屈曲部が掛かる長さに設定するとともに、かご側支持板１２２ａの長さ寸法Ｌ２を、階高調整機構６による階高調整長さ寸法の１/２に、両支持板１２１ａ、１２２ａ間に位置するケーブル７ａ、１１の屈曲部の曲率半径を加算した長さ寸法以上に設定することにより、ケーブル７ａ、１１の円滑な移動を実現しつつ、ケーブル７ａ、１１の無駄な動きを規制して他機器への接触、絡まり等の事態を防ぐことができる。さらにまた、かご枠側支持板１２１ａの下端部に傾斜部１２４を設けたことにより、かご枠１の上横枠１ａと上かご室２上部とが最も離隔した状態から上横枠１ａと上かご室２上部とが近づく方向に移動する際、ケーブル７ａ、１１をかご枠側支持板に円滑に沿わせ、かご枠側支持板１２１でケーブル７ａ、１１が損傷することを防ぐことができる。また、かご枠側支持板１２１ａ、かご側支持板１２２ａは所定の間隙、即ち、ケーブル７ａ、１１の許容曲率半径Ｒの２倍以上の間隙を介して互いに対向可能な位置に配置することにより、ケーブル屈曲寿命を考慮した曲率半径として耐久性の向上を図ることができる。
【００４１】
なお、前述した実施形態では、ケーブル案内手段１２の詳細、及びその効果を説明する際、上横枠１ａと上かご室２上部との間に設置されたケーブル案内手段１２を例としたが、中間横枠１ｂと下かご室３上部との間に設置されたケーブル案内手段１２、即ち、かご枠側支持板１２１ｂ及びかご側支持板１２２ｂも同等の構造となっているとともに、中間横枠１ｂと下かご室３上部との間に設置されたケーブル案内手段１２にあっても同様の効果を得ることきることは言うまでもない。また、本実施形態の階高調整式ダブルデッキエレベータでは、上下かご室２、３を、いずれも上下に動作させる構造となっているが、一方のかご室を固定、他方のかご室を動作させるようにしてもよい。
【図面の簡単な説明】
【００４２】
【図１】本発明の階高調整式ダブルデッキエレベータの移動ケーブル装置の一実施形態を示す全体概略図である。
【図２】階高調整機構によりかご枠とかご室上部とを最も離隔させた状態を示す全体概略図である。
【図３】ケーブル案内手段の詳細を示す要部拡大図である。
【図４】ケーブルの固定状態を示す要部断面図である。
【符号の説明】
【００４３】
１  かご枠
１ａ  上横枠
１ｂ  中間横枠
１ｃ  下横枠
１ｄ  縦枠
２  上かご室
３  下かご室
４  ワイヤロープ
５ａ、５ｂ  レール
６  階高調節機構
７  ケーブル
８  補強ワイヤ
９  ケーブル固定金具
１０  中継用ボック
１１  連絡用ケーブル
１２  ケーブル案内手段
１２１ａ、１２１ｂ  かご枠側支持板
１２２ａ、１２２ｂ  かご側支持板
１２３ａ、１２３ｂ、１２３ｃ、１２３ｄ  留め金具
１２４  傾斜部
１３ａ、１３ｂ  器具ボックス
【図１】
0005081593.tif 000002
【図２】
0005081593.tif 000003
【図３】
0005081593.tif 000004
【図４】
0005081593.tif 000005